(57)【要約】  【課題】構造の簡素化及び操作性の向上を図ることができる肘掛を提供する。  【解決手段】肘支柱２と、肘支柱２に対してテレスコープ状に昇降移動可能な肘掛本体３と、肘掛本体３の高さ位置を調整可能な高さ調整機構４とを備え、高さ調整機構４を構成するロック体４１を、屈曲部位を支点に水平軸回りに回動可能な本体部４１１と、本体部４１１の一端部側に設けた係合爪４１２と、本体部４１１の他端部側に設けられ且つ係合孔２１１ａと係合爪４１２との係合状態を解除する操作力を付与するための操作部４１３とを備えた一体成型品とした。【選択図】図２
2008049080.tif 000002
【特許請求の範囲】
【請求項１】
肘支柱と、当該肘支柱に対してテレスコープ状に嵌合した状態で昇降移動可能な側面視略Ｌ字形の肘掛本体と、当該肘掛本体の高さ位置を調整可能な高さ調整機構とを備えた肘掛であって、
前記高さ調整機構が、前記肘支柱の高さ方向に沿って所定ピッチで複数形成した係合孔と、前記肘掛本体の内部に設けられ前記係合孔に係合可能な係合爪を有するロック体と、前記係合爪が前記係合孔に係合する方向に付勢する付勢部材とを備えたものであり、
前記ロック体が、側面視略Ｌ字形をなし屈曲部位を支点に水平軸回りに回動可能な本体部と、当該本体部の一端部側に設けた前記係合爪と、前記本体部の他端部側に設けられ且つ前記係合孔と前記係合爪との係合状態を解除する操作力を付与するための操作部とを備えた一体品であることを特徴とする肘掛。
【請求項２】
前記肘支柱が、前記肘支柱に外嵌され且つ前記ロック体を内部に収容し得る筒状のものであり、当該肘支柱の起立壁に前記係合孔を形成している請求項１記載の肘掛。
【請求項３】
前記肘支柱に対する前記肘掛本体の昇降移動を案内する案内手段を備えている請求項１又は２記載の肘掛。
【請求項４】
前記案内手段が、前記肘支柱又は前記肘掛本体の何れか一方にその高さ方向に沿って設けた凸部と、他方にその高さ方向に沿って設けられ前記凸部が若干のあそびをもった状態で嵌合可能な凹部である請求項３記載の肘掛。
【請求項５】
座部と、請求項１〜４何れか記載の肘掛とを具備していることを特徴とする椅子。
【発明の詳細な説明】
【技術分野】
【０００１】
本発明は、高さ調整可能な肘掛、及び肘掛を備えた椅子に関するものである。
【背景技術】
【０００２】
従来より、高さ調整可能な肘掛として、肘支柱と、当該肘支柱に対してテレスコープ状に嵌合した状態で昇降移動可能な側面視略Ｌ字形の肘掛本体と、当該肘掛本体の高さ位置を調整可能な高さ調整機構とを備えたものが知られている。その一例として、高さ方向に所定ピッチで係合孔を形成したインナースリーブを肘支柱の内部に取り付けるとともに、係合孔に嵌入可能な駒部材を軸を介して枢着したロック体を肘掛本体の内部に取り付け、ロック体の操作部を押すことにより駒部材と凹部との嵌入状態を解除可能にし、肘支柱に対する肘掛本体の高さ位置を調整可能にしたものが挙げられる（例えば特許文献１参照）。
【特許文献１】特開２００２−３２５６５３号公報
【発明の開示】
【発明が解決しようとする課題】
【０００３】
しかしながら、従来のものは、ロック体が、その下端部に別部材の駒部材を枢着するものであるため、部品点数の増加、組付工程の煩雑化を招来するという問題が発生するとともに、駒部材をロック体に軸を介して枢着しているため、使用頻度具合や経年変化等により枢着状態が初期の良好な状態から悪化した場合には操作性も悪化し、肘掛の高さ調整を的確に行うことができないという不具合があった。
【０００４】
本発明は、このような課題に着目してなされたものであって、主たる目的は、構造の簡素化及び操作性の向上を図ることができる肘掛を提供することにある。
【課題を解決するための手段】
【０００５】
すなわち、本発明の肘掛は、肘支柱と、当該肘支柱に対してテレスコープ状に嵌合した状態で昇降移動可能な側面視略Ｌ字形の肘掛本体と、当該肘掛本体の高さ位置を調整可能な高さ調整機構とを備えたものであって、前記高さ調整機構が、前記肘支柱の高さ方向に沿って所定ピッチで複数形成した係合孔と、前記肘掛本体の内部に設けられ前記係合孔に係合可能な係合爪を有するロック体と、前記係合爪が前記係合孔に係合する方向に付勢する付勢部材とを備えたものであり、前記ロック体が、側面視略Ｌ字形をなし屈曲部位を支点に水平軸回りに回動可能な本体部と、当該本体部の一端部側に設けた前記係合爪と、前記本体部の他端部側に設けられ且つ前記係合孔と前記係合爪との係合状態を解除する操作力を付与するための操作部とを備えた一体品であることを特徴とする。
【０００６】
このようなものであれば、ロック体が係合爪を一体に備えたものであるため、ロック体、ひいては高さ調整機構全体の構造簡略化、部品点数の削減及び製作（組付）工程の簡素化を有効に図ることができる。さらに、ロック体における本体部、係合爪及び操作部の相対位置が変位しないため、本体部に対する係合爪の相対位置が変更し得る態様と比較して、操作部への操作によってロック体を回動させることにより係合爪を係合孔に係合させた位置又は係合状態を解除した位置に的確に移動させることができ、動作の安定性を向上し、操作性に優れたものとなる。
【０００７】
特に、前記肘支柱が、前記肘支柱に外嵌され且つ前記ロック体を内部に収容し得る筒状のものであり、当該肘支柱の起立壁に前記係合孔を形成していれば、肘支柱の内部に別途係合孔を形成したインナースリーブを設ける必要がなく、やはり構造の簡略化、部品点数の削減及び製作工程の簡素化を有効に図ることができる。
【０００８】
また、肘支柱に対する前記肘掛本体の昇降移動をスムーズ且つ的確に行えるようにするには、前記肘支柱に対する前記肘掛本体の昇降移動を案内する案内手段を備えたものとすることが好ましい。
【０００９】
案内手段の具体的な実施態様としては、前記肘支柱又は前記肘掛本体の何れか一方にその高さ方向に沿って設けた凸部と、他方にその高さ方向に沿って設けられ前記凸部が若干のあそびをもった状態で嵌合可能な凹部とを用いて構成したものが挙げられる。
【００１０】
また、本発明の椅子は、座部と、上述した効果を奏する肘掛とを具備していることを特徴とする。
【発明の効果】
【００１１】
以上説明したように本発明によれば、ロック体の構造簡素化及び操作性の向上を図ることが可能な肘掛を提供することができる。
【発明を実施するための最良の形態】
【００１２】
以下、本発明の一実施形態を、図面を参照して説明する。
【００１３】
本実施形態に係る肘掛１は、図１〜図３に示すように、肘支柱２と、肘支柱２に対してテレスコープ状に案内されて昇降移動可能な肘掛本体３と、肘掛本体３の高さ位置を調整可能な高さ調整機構４とを備えたものである。なお、以下の説明では、図１における向かって左側を前側とし、図２における向かって左側を内側（着座者側）としている。また、図１及び図３では高さ調整機構４を省略している。
【００１４】
肘支柱２は、側面視斜め前方（例えば垂線から約３０度着座者から遠ざかる方向）に向かって延伸する肘支柱本体２１と、図示しない椅子の座受けに取り付けるための支持部材２２とを一体に備えたものである。
【００１５】
肘支柱本体２１は筒状をなし、起立壁２１１に係合孔２１１ａを所定ピッチで複数形成している。本実施形態では、起立壁２１１のうち、前面側の起立壁２１１に係合孔２１１ａを形成している。そして、起立壁２１１のうち、後面側の起立壁２１１に他の部位より後方に突出させた凸部２１１ｂをその高さ方向に沿って設けている。一方、支持部材２２は、肘支柱本体２１の下端部から内側（着座者側）に屈曲させた屈曲部２２１と、屈曲部２２１の内方端から水平に延伸する水平部２２２とから構成され、水平部２２２を座受に取付可能にしている。
【００１６】
肘掛本体３は、着座者の肘を乗せ置くための肘乗せ部３１と、肘支柱本体２１にテレスコープ状に嵌合可能なボディ部３２とを一体に備えたものである。肘乗せ部３１は、略水平に延伸する（図示例では水平線から略５度だけ下向きに傾斜させている）ものであり、下向きに開口する開口部３１ａを形成し、この開口部３１ａから後述する操作部４１３を露出し得るようにしている（図２参照）。ボディ部３２は、肘支柱本体２１と同様に側面視斜め前方に向かって延伸する筒状のものである。そして、ボディ部３２のうち、前記肘支柱本体２１に設けた前記凸部２１１ｂに対応する部位（本実施形態ではボディ部３２の後面部）に、凸部２１１ｂが若干のあそびをもった状態で嵌合可能な凹部３２ａをその高さ方向に沿って形成している。なお、本実施形態では、肘乗せ部３１とボディ部３２とを略６０度の相対角度をなすように結合している。
【００１７】
高さ調整機構４は、肘支柱２の起立壁２１１に所定ピッチで複数形成した係合孔２１１ａと、肘掛本体３の内部に設けられ且つ係合孔２１１ａに係合可能な係合爪４１２を有するロック体４１と、係合爪４１２が係合孔２１１ａに係合する方向にロック体４１を付勢する付勢部材４２とを備えたものである。
【００１８】
ロック体４１は、側面視略Ｌ字形、より具体的には肘掛本体３の側面視形状に略対応した形状をなし屈曲部位を支点に水平軸回りに回動可能な本体部４１１と、本体部４１１の一端部側（下端部側）に設けた係合爪４１２と、本体部４１１の他端部側（上端部側）に設けられ且つ係合孔２１１ａと係合爪４１２との係合状態を解除する操作力を付与するための操作部４１３とを備えた例えば樹脂製の一体成型品である。係合爪４１２は、凹部３２ａに嵌入する形状をなし、本実施形態では、本体部４１１の下端から前方に向かって突出させた部位を係合爪４１２として機能させている。操作部４１３は、本体部４１１のうち略水平に伸びる部位の先端部から下方に突出させたものであり、この操作部４１３を前記肘乗せ部３１の開口部３１ａから露出させている。
【００１９】
付勢部材４２は、例えば、操作部４１３の近傍に設けられ操作部４１３を下方に向かって付勢するもの（図２参照）、又は係合爪４１２の近傍に設けられ係合爪４１２を前方を向かって付勢するものであり、バネやゴム等弾性変形可能な部材を適用している。なお、ロック体４１に対する付勢部材４２の相対位置を位置決めするための位置決め部（図示省略）を設けることにより、付勢部材４２がその機能を有効に発揮し得るようにしている。
【００２０】
次に、この肘掛１の操作方法及び作用について説明する。
【００２１】
着座者が操作部４１３に対して操作力を付与していない通常使用時には、係合爪４１２が係合孔２１１ａと係合し、肘掛本体３の昇降移動は規制されている。一方、肘掛１の高さを調整する場合には、着座者が操作部４１３を押し上げる操作力を付与すると、ロック体４１が付勢部材４２の付勢力に抗して屈曲部位を支点に水平軸回りに回動し、その結果係合爪４１２が係合孔２１１ａから離間し、係合爪４１２と係合孔２１１ａとの係合状態が解除される。これにより、肘掛本体３が肘支柱２に対して昇降移動可能な状態となり、肘掛本体３を着座者の体格や用途に合わせて昇降させることにより、肘掛１全体の高さ寸法を調整することができる。なお、肘掛本体３を昇降移動させる際には、肘掛本体３のボディ部３２に形成した凹部３２ａが肘支柱本体２１に設けた凸部２１１ｂに案内されるため、昇降移動をスムーズに行うことができる。このように、これら凸部２１１ｂ及び凹部３２ａが本発明の「案内手段」として機能する。そして、肘掛本体３を所望の高さ位置に昇降移動させた後、前記操作力（操作部４１３を押し上げる操作力）を解除すると、付勢部材４２の付勢力によりロック体４１が屈曲部位を支点に水平軸回りに回動し、係合爪４１２がその高さ位置に対応する部位又は当該部位近傍に形成された係合孔２１１ａに係合することによって、肘掛本体３の昇降移動が規制され、肘掛１の全体長が固定される。なお、本実施形態では、肘支柱本体２１及びボディ部３２を側面視斜め前方に向かって延伸させているため、肘掛本体３を昇降移動させることにより着座者に対する肘乗せ部３１の奥行き方向に沿った相対位置も調整できる。
【００２２】
このように、本実施形態に係る肘掛１は、高さ調整機構４の一部を構成するロック体４１が、屈曲部位を支点に水平軸回りに回動可能な本体部４１１と、本体部４１１の一端部側に設けた係合爪４１２と、本体部４１１の他端部側に設けられ且つ係合孔２１１ａと係合爪４１２との係合状態を解除する操作力を付与するための操作部４１３とを備えた一体成型品であるため、ロック体４１、ひいては高さ調整機構４全体の構造簡略化、部品点数の削減及び製作（組付）工程の簡素化を有効に図ることができるとともに、ロック体４１における本体部４１１、係合爪４１２及び操作部４１３の相対位置が変位しないため、本体部４１１に対する係合爪４１２の相対位置が変更し得る態様と比較して、操作部４１３への操作によってロック体４１を回動させることにより係合爪４１２を係合孔２１１ａに係合させた位置又は係合状態を解除した位置に的確に移動させることができ、操作の安定性向上に資する。
【００２３】
特に、肘支柱２が、肘支柱２に外嵌され且つロック体４１を内部に収容し得る筒状のものであり、肘支柱２の起立壁２１１に係合孔２１１ａを形成しているため、肘支柱の内部に別途係合孔を形成したインナースリーブを設ける必要がなく、やはり構造の簡略化、部品点数の削減及び製作工程の簡素化を有効に図ることができる。
【００２４】
また、肘支柱２に対する肘掛本体３の昇降移動を案内する案内手段を備えているため、肘支柱２に対する肘掛本体３の昇降移動をスムーズ且つ的確に行うことができる。加えて、案内手段を、肘支柱２にその高さ方向に沿って設けた凸部２１１ｂと、肘掛本体３にその高さ方向に沿って設けられ凸部２１１ｂが若干のあそびをもった状態で嵌合可能な凹部３２ａとを用いて構成しているため、案内手段を簡単な構成で実現することができる。
【００２５】
なお、本発明は、以上に詳述した実施形態に限られるものではない。
【００２６】
例えば、ロック体は、本体部、係合爪及び操作部を備えた一体品であればよく、削り出し工法により製造されたものであってもよい。
【００２７】
また、案内手段を、肘掛本体に設けた凸部と、肘支柱に設けられ凸部が若干のあそびをもった状態で嵌合可能な凹部とから構成してもよい。また、凸部及び凹部をそれぞれ肘掛の高さ方向に沿って複数列設けても構わない。
【００２８】
その他、各部の具体的構成についても上記実施形態に限られるものではなく、本発明の趣旨を逸脱しない範囲で種々変形が可能である。
【図面の簡単な説明】
【００２９】
【図１】本発明の一実施形態に係る肘掛の側面図。
【図２】同実施形態に係る肘掛の要部側断面図。
【図３】同実施形態に係る肘掛の正面図。
【符号の説明】
【００３０】
１…肘掛
２…肘支柱
２１１…起立壁
２１１ａ…係合孔
２１１ｂ…凸部
３…肘掛本体
３２ａ…凹部
４…高さ調整機構
４１…ロック体
４１１…本体部
４１２…係合爪
４１３…操作部
４２…付勢部材
【図１】
2008049080.tif 000003
【図２】
2008049080.tif 000004
【図３】
2008049080.tif 000005